(57)【要約】【課題】表面が平滑な物品であっても、誤ってポケットから該物品が抜け出るのを防止することができるポケット用物品抜け出し防止クリップを提供する。【解決手段】本発明のポケット用物品抜け出し防止クリップＡは、クリップ本体１と、ストッパー部材２とを備え、クリップ本体１は、ポケットｐ内部に挿入され、ポケットｐ内側から開口縁部ｐ１に当接する第１の挟持片１１と、ポケットｐ外側から開口縁部ｐ１に当接する第２の挟持片１２と、第１の挟持片１１と第２の挟持片１２とを連結すると共に、これら第１および第２の挟持片１１、１２を挟持方向に付勢する連結体１３とを有し、ストッパー部材２は、クリップ本体１の第１の挟持片１１の第２の挟持片１２とは反対側に設けられ、ポケットｐ内部の物品ｂに当接して摩擦力により該物品ｂがポケットｐから抜け出すのを防止するものであり、かつ、粘着性を有しない部材により形成されているものである。【選択図】図１
2011010970.tif 000002
【特許請求の範囲】
【請求項１】
ポケットの開口縁部に着脱自在に取り付けられ、該ポケット内部に収納されている物品が抜け出すのを防止するポケット用物品抜け出し防止クリップであって、
クリップ本体と、ストッパー部材とを備え、
前記クリップ本体は、
前記ポケット内部に挿入され、前記ポケット内側から前記開口縁部に当接する第１の挟持片と、
前記ポケット外側から前記開口縁部に当接する第２の挟持片と、
前記第１の挟持片と前記第２の挟持片とを連結すると共に、これら第１および第２の挟持片を挟持方向に付勢する連結体とを有し、
前記ストッパー部材は、
前記クリップ本体の前記第１の挟持片の前記第２の挟持片とは反対側に設けられ、前記ポケット内部の物品に当接して摩擦力により該物品が前記ポケットから抜け出すのを防止するものであり、かつ、粘着性を有しない部材により形成されていることを特徴とするポケット用物品抜け出し防止クリップ。
【請求項２】
ストッパー部材は、シート状に形成されていることを特徴とする請求項１記載のポケット用物品抜け出し防止クリップ。
【請求項３】
ポケットの内側に位置するクリップ本体の第１の挟持片と、前記ポケットの外側に位置する前記クリップ本体の第２の挟持片とにより前記ポケットの開口縁部を着脱自在に挟持し、
前記クリップ本体の前記第１の挟持片の前記第２の挟持片とは反対側に設けられたストッパー部材に前記ポケット内部に収納されている物品を当接させ、
前記ストッパー部材と前記物品との間で作用する摩擦力により該物品が前記ポケットから抜け出さないように保持することを特徴とするポケットからの物品抜け出し防止方法。
【発明の詳細な説明】
【技術分野】
【０００１】
本発明は、ポケットの開口縁部に着脱自在に取り付けられ、該ポケット内部に収納されている物品が抜け出すのを防止するポケット用物品抜け出し防止クリップおよびポケットからの物品抜け出し防止方法に係り、特に、クリップ本体にストッパー部材を設け、このストッパー部材をポケット内部の物品に当接させて摩擦力により該物品のポケットからの抜け出しを防止するものに関する。
【背景技術】
【０００２】
上着やズボン、スカートなどの多くには物品を収納するポケットが設けられている。収納される物品は、例えば、ハンカチや財布、定期入れなど多種多様であるが、昨今にあっては、電子機器の小型化などとも相俟って、ポケットに携帯電話、音楽プレーヤー、デジタルカメラなどの電子機器を収納する機会が増えている。
【０００３】
このような状況下において、ポケット内に収納してある物品を誤って落としてしまい、該物品を破損させたり、紛失したりしてしまうケースが増加しており、特に、上述したような電子機器にあっては、その表面が平滑であるため、その傾向は一層顕著である。
【０００４】
この問題に対し、例えば、ポケットの出し入れ口の内面の一部に起毛繊維を設け、この起毛繊維の起立方向を奥向きに配してポケット内の物品の抜け出し抵抗を大きし、物品の抜け出しを防止するような滑り止め機能付きポケットが提案されている（例えば、特許文献１の図１〜図３参照）
【先行技術文献】
【特許文献】
【０００５】
【特許文献１】特開２００３−１６６１０８号公報
【発明の概要】
【発明が解決しようとする課題】
【０００６】
しかしながら、上述したような滑り止め機能付きポケットにあっては、ハンカチや財布など、表面に比較的凹凸が多いものに対しては有効であるものの、電子機器のような表面が平滑な物品にあっては依然として抜け出し抵抗（摩擦抵抗）が小さく、該物品の抜け出しを確実に防止することが困難であるという問題点があった。
【０００７】
本発明は、上述した問題点を解決するためになされたものである。
【課題を解決するための手段】
【０００８】
請求項１に係る発明は、ポケットの開口縁部に着脱自在に取り付けられ、該ポケット内部に収納されている物品が抜け出すのを防止するポケット用物品抜け出し防止クリップであって、クリップ本体と、ストッパー部材とを備え、前記クリップ本体は、前記ポケット内部に挿入され、前記ポケット内側から前記開口縁部に当接する第１の挟持片と、前記ポケット外側から前記開口縁部に当接する第２の挟持片と、前記第１の挟持片と前記第２の挟持片とを連結すると共に、これら第１および第２の挟持片を挟持方向に付勢する連結体とを有し、前記ストッパー部材は、前記クリップ本体の前記第１の挟持片の前記第２の挟持片とは反対側に設けられ、前記ポケット内部の物品に当接して摩擦力により該物品が前記ポケットから抜け出すのを防止するものであり、かつ、粘着性を有しない部材により形成されているポケット用物品抜け出し防止クリップである。
【０００９】
請求項２に係る発明は、請求項１記載のポケット用物品抜け出し防止クリップにおいて、ストッパー部材は、シート状に形成されているものである。
【００１０】
請求項３に係る発明は、ポケットの内側に位置するクリップ本体の第１の挟持片と、前記ポケットの外側に位置する前記クリップ本体の第２の挟持片とにより前記ポケットの開口縁部を着脱自在に挟持し、前記クリップ本体の前記第１の挟持片の前記第２の挟持片とは反対側に設けられたストッパー部材に前記ポケット内部に収納されている物品を当接させ、前記ストッパー部材と前記物品との間で作用する摩擦力により該物品が前記ポケットから抜け出さないように保持するポケットからの物品抜け出し防止方法である。
【発明の効果】
【００１１】
請求項１記載のポケット用物品抜け出し防止クリップによれば、クリップ本体は、ポケット内部に挿入され、前記ポケット内側から開口縁部に当接する第１の挟持片と、前記ポケット外側から前記開口縁部に当接する第２の挟持片と、前記第１の挟持片と前記第２の挟持片とを連結すると共に、これら第１および第２の挟持片を挟持方向に付勢する連結体とを有し、ストッパー部材は、前記クリップ本体の前記第１の挟持片の前記第２の挟持片とは反対側に設けられ、前記ポケット内部の物品に当接して摩擦力により該物品が前記ポケットから抜け出すのを防止するものであり、かつ、粘着性を有しない部材により形成されているため、既製のポケットであっても簡易に取り付けてポケット内部に収納されている物品が抜け出すのを防止することができ、しかも、物品がストッパー部材に粘着しない分、ストッパー部材から物品を引き離せば容易に該物品をポケットから取り出すことができる。
【００１２】
請求項２記載の発明によれば、請求項１記載のポケット用物品抜け出し防止クリップの効果に加え、ストッパー部材は、シート状に形成されているため、嵩張らず、かつ、物品とストッパー部材とが面接触をすることにより両者間に作用する摩擦力を増大させることができ、より一層確実にポケットから物品が抜け出すのを防止することができる。
【００１３】
請求項３記載のポケットからの物品抜け出し防止方法によれば、ポケットの内側に位置するクリップ本体の第１の挟持片と、前記ポケットの外側に位置する前記クリップ本体の第２の挟持片とにより前記ポケットの開口縁部を着脱自在に挟持し、前記クリップ本体の前記第１の挟持片の前記第２の挟持片とは反対側に設けられたストッパー部材に前記ポケット内部に収納されている物品を当接させ、前記ストッパー部材と前記物品との間で作用する摩擦力により該物品が前記ポケットから抜け出さないように保持するため、既製のポケットであっても簡易に取り付けてポケット内部に収納されている物品が抜け出すのを防止することができ、しかも、物品がストッパー部材との間で作用する摩擦力により保持されている分、ストッパー部材から物品を引き離せば容易に該物品をポケットから取り出すことができる。
【図面の簡単な説明】
【００１４】
【図１】本発明に係るポケット用物品抜け出し防止クリップの一実施例を示した概略図であり、図１（ａ）は正面図を、図１（ｂ）は側面図をそれぞれ示している。
【図２】図１の変形例を示した概略図であり、図２（ａ）は分解斜視図を、図２（ｂ）は図２（ａ）のＸ−Ｘ線で切断した断面図をそれぞれ示している。
【図３】図１の変形例を示した概略図であり、図３（ａ）は正面図を、図３（ｂ）は側面図をそれぞれ示している。
【図４】図１の変形例を示した概略図であり、図４（ａ）は正面図を、図４（ｂ）は側面図をそれぞれ示している。
【図５】図１のポケット用物品抜け出し防止クリップに、付設体を取り付けた概略図であり、図５（ａ）は一形態の付設体を取り付けた正面図を、図５（ｂ）は図５（ａ）の側面図を、図５（ｃ）は他の形態の付設体を取り付けた正面図を、図５（ｄ）はさらに他の形態の付設体を取り付けた正面図をそれぞれ示している。
【図６】図１の使用状態を説明するための概略図である。
【図７】図１の使用状態を説明するための概略図であり、図７（ａ）はポケット用物品抜け出し防止クリップ装着前の側面図を、図７（ｂ）はポケット用物品抜け出し防止クリップを装着したときの側面図をそれぞれ示している。
【図８】上半身が前屈み状態になったときのポケット内の物品の抜け出し状態を示した概略的側面図であり、図８（ａ）はポケット用物品抜け出し防止クリップを装着していないときの図を、図８（ｂ）はポケット用物品抜け出し防止クリップを装着しているときの図をそれぞれ示している。
【発明を実施するための形態】
【００１５】
本発明の一実施例を、図１、図６を参照して説明する。図１（ａ）、（ｂ）において、Ａはポケット用物品抜け出し防止クリップであり、ポケット用物品抜け出し防止クリップＡは、図６に示したように、ポケットｐの開口縁部ｐ１に着脱自在に取り付けられ、該ポケットｐ内部に収納されている物品ｂが抜け出すのを防止するもので、概略的に、クリップ本体１と、ストッパー部材２とにより構成されている。
【００１６】
クリップ本体１は、図１（ｂ）の仮想線で示したように、例えば、衣服やズボンなどに設けられたポケットｐ内部に挿入され、ポケットｐ内側から開口縁部ｐ１に当接する第１の挟持片１１と、ポケットｐ外側から開口縁部ｐ１に当接する第２の挟持片１２と、第１の挟持片１１と第２の挟持片１２とを連結すると共に、これら第１および第２の挟持片１１、１２を挟持方向に付勢する連結体１３とを有している。
【００１７】
なお、図１（ａ）、（ｂ）は、クリップ本体１がゼムクリップであるものを示しており、このゼムクリップは、例えば、金属の芯金により形成され、芯金が略Ｕ字状に折り曲げられて第１の挟持片１１をなすと共に、同じく芯金が略Ｕ字状に折り曲げられて第２の挟持片１２をなし、これら第１の挟持片１１の一端と第２の挟持片１２の一端とが芯金の連結体１３により連結されているもので、この連結体１３は、第１および第２の挟持片１１、１２を挟持方向に付勢するように、弾性を有する材料により形成されている。なお、図示していないが、芯金は、ポリエチレン等の材料で形成された被覆部材により被覆してもよい。
【００１８】
ストッパー部材２は、図１（ｂ）に示したように、前記クリップ本体１の第１の挟持片１１の第２の挟持片１２とは反対側に設けられ、ポケットｐ内部の物品ｂに当接して摩擦力により該物品ｂがポケットｐから抜け出すのを防止するものであり、かつ、粘着性を有しない部材、具体的には、例えば、軟質ポリ塩化ビニル（軟質ＰＶＣ）、スチレン・エチレン・ブチレン・スチレン・ブロック共重合体（ＳＥＢＳ）、ポリプロピレン（ＰＰ）、ポリスチレン（ＰＳ）、ＡＢＳ樹脂、アクリロニトリル、ブタジエン樹脂（ＢＤＲ）、スチレン共重合合成樹脂、ポリウレタン（ＰＵ）等の摩擦係数の高い材料により形成されている。このストッパー部材２は、例えば、図１（ａ）に示したように、前述のクリップ本体１に接着剤ｓにより接着することもができるが、例えば、図２（ａ）、（ｂ）に示したように、取付凸部３ａを有する取付部材３を用い、この取付凸部３ａをストッパー部材２に穿設された取付孔２ａに挿着してクリップ本体１に固定するようにしてもよい。
【００１９】
ところで、上述した実施例にあっては、クリップ本体１としてゼムクリップを用いた例を示したが、ポケットｐの開口縁部ｐ１を挟持できるものであれば、いずれのものを用いてもよく、例えば、図３（ａ）、（ｂ）に示したように、長手形状の第１の挟持片１１’と、同じく長手形状の第２の挟持片１２’と、これら第１および第２の挟持片１１’、１２’を長手方向の中途で軸１３’ａにより揺動可能に枢結すると共に、挟持方向にバネ１３’ｂにより付勢する連結体１３’と、を備えたクリップ本体１を用いたり、図４（ａ）、（ｂ）に示したように、長手形状の第１の挟持片１１”と、同じく長手形状の第２の挟持片１２”と、これら第１および第２の挟持片１１”、１２”を長手方向の一端部において挟持方向に付勢する連結体１３”と、を備えた側面視略逆Ｕ字状のクリップ本体１などを用いてもよい。
【００２０】
また、クリップ本体１の第２の挟持片１２側には、図５（ａ）、（ｂ）に示したようなネームプレートなどの付設体４を取り付けたり、図５（ｃ）、（ｄ）に示したようなキャラクターデザインをあしらった付設体４を取り付けてもよく、更には、この付設体４に前述したような取付凸部３ａを設け（不図示）、取付部材３（図２参照）と兼用するようにしてもよい（図５（ａ）〜（ｄ）にあっては、クリップ本体１としてゼムクリップを用いたものを例示）。
【００２１】
なお、ストッパー部材２は、図１（ａ）、（ｂ）に示したように、シート状に形成するのが、特に物品ｂとストッパー部材２との間に作用する摩擦力を増大させる点で好ましい。
【００２２】
次に、上述した実施例のように構成されるポケット用物品抜け出し防止クリップＡの作用効果について、ゼムクリップを例にとり、図６〜図８を参照して説明する。図６は、上着のポケットｐにポケット用物品抜け出し防止クリップＡを装着した例を示したもので、物品ｂ（例えば、携帯電話など）がポケットｐの中に入れられた状態を示している。
【００２３】
また、図７（ａ）、（ｂ）は、ポケット用物品抜け出し防止クリップＡを、ポケットｐに装着する前後の状態を示した概略的断面図を示しており、まず、図７（ａ）に示したように、物品ｂがポケットｐ内に収納されている状態において、第１の挟持片１１と第２の挟持片１２とを押し広げ、これら第１および第２の挟持片１１、１２の間にポケットｐの開口縁部ｐ１を差し入れる。
【００２４】
そして、図７（ｂ）に示したように、第１および第２の挟持片１１、１２を挟持方向に付勢させれば、ポケット用物品抜け出し防止クリップＡがポケット開口縁部ｐ１に挟持されるもので、ストッパー部材２が物品ｂに当接し、該ストッパー部材２と物品ｂとの間で作用する摩擦力により物品ｂがポケットｐから抜き出ないように保持される。なお、ストッパー部材２は粘着性を有しない部材により形成されているため、物品ｂがストッパー部材２に貼り付くことは無く、例えば、ストッパー部材２と物品ｂとを引き離せば、該ストッパー部材２と物品ｂとの間の摩擦力が解除され、ポケットｐから容易に物品ｂを抜き出すことができる。
【００２５】
ところで、図８（ａ）、（ｂ）は、例えば、上半身が前屈み状態になったときに
物品ｂが衣服の胸のポケットｐから抜け出すか否かを、ポケット用物品抜け出し防止クリップＡの有無により比較例示したもので、ポケット用物品抜け出し防止クリップＡが装着されていない図８（ａ）のものにあっては、ポケットｐと物品ｂとの摩擦力が小さいために誤って該物品ｂがポケットｐから抜け出してしまう可能性が高いものの、ポケット用物品抜け出し防止クリップＡが装着された図８（ｂ）のものにあっては、ポケットｐと物品ｂとの摩擦力が大きく（本図にあっては、特に物品ｂの自重により摩擦力が大きくなる）、物品ｂがポケットｐから抜け出し難くなる。
【符号の説明】
【００２６】
Ａ        ポケット用物品抜け出し防止クリップ
ｂ        物品
ｐ        ポケット
ｐ１      開口縁部
１        クリップ本体
１１、１１’、１１”    第１の挟持片
１２、１２’、１２”    第２の挟持片
１３、１３’、１３”    連結体
２        ストッパー部材
【図１】
2011010970.tif 000003
【図２】
2011010970.tif 000004
【図３】
2011010970.tif 000005
【図４】
2011010970.tif 000006
【図５】
2011010970.tif 000007
【図６】
2011010970.tif 000008
【図７】
2011010970.tif 000009
【図８】
2011010970.tif 000010